【手続補正書】
【提出日】平成29年9月14日(2017.9.14)
【手続補正１】
【補正対象書類名】明細書
【補正対象項目名】００１９
【補正方法】変更
【補正の内容】
【００１９】
液晶表示パネル１０００の下偏光板１５０の下には、バックライト２０００が配置している。バックライト２０００は、導光板５００のサイドに光源５１０が配置され、導光板５００は、光源５１０からの光が液晶表示パネル１０００側に向かうような構造となっている。導光板５００の上には拡散シート５２０が配置されている。拡散シート５２０の役割は導光板５００から液晶表示パネル１０００に向かう光の輝度むらを軽減することである。拡散シート５２０の上には下プリズムシート５３０が配置され、その上には上プリズムシート５４０が配置されている。上プリズムシート５４０の上には、上拡散板５５０が配置している。上下プリズムシートと液晶表示パネルの映像信号線あるいは走査線との干渉によるモアレの発生を防止するためである。
【手続補正２】
【補正対象書類名】明細書
【補正対象項目名】００３１
【補正方法】変更
【補正の内容】
【００３１】
画素電極１１２とコンタクト電極１０７との導通を取るために、無機パッシベーション膜１０８および有機パッシベーション膜１０９にスルーホール１３０が形成される。有機パッシベーション膜１０９は感光性の樹脂を使用している。感光性の樹脂を塗付後、この樹脂を露光すると、光が当たった部分のみが特定の現像液に溶解する。すなわち、感光性樹脂を用いることによって、フォトレジストの形成を省略することが出来る。有機パッシベーション膜１０９にスルーホール１３０を形成したあと、２３０℃程度で有機パッシベーション膜を焼成することによって有機パッシベーション膜１０９が完成する。
【手続補正３】
【補正対象書類名】明細書
【補正対象項目名】００５６
【補正方法】変更
【補正の内容】
【００５６】
図１２は、位相差板１６０の延伸軸１６０１を基準方向に固定し、上偏光板２５０の吸収軸２５０１を基準方向からｘずらし、下偏光板１５０の吸収軸１５０１を基準方向からｙずらした場合に、黒輝度を最も小さくするためのｘとｙの関係を示すものである。つまり、図１２は、ｙ＝ａｘ+９０の関係とした場合、ａがどの程度のときに、黒輝度が小さくなるかを示すものである。ここで、ａは、ｘの量とｙの量の比率を示すものである。図１２において、黒輝度を最も小さくするａの値は０．９である。また、図１２より、０．９±０．０９の範囲であれば、黒輝度は充分に小さく保つことができるといえる。
【手続補正４】
【補正対象書類名】明細書
【補正対象項目名】００７０
【補正方法】変更
【補正の内容】
【００７０】
以上の説明では、液晶表示装置はいわゆるe-modeを使用するということで説明した。しかし、本発明は、いわゆるo-modeを使用する場合にも適用することができる。o-modeにおいては、図４における上偏光板２５０の吸収軸２５０１は配向軸１１３１と９０度であり、下偏光板１５０の吸収軸１５０１は配向膜１１３の配向軸１１３１と同じ方向であり、位相差板１６０の延伸軸１６０１は配向軸１１３１と９０度の方向となる。そして、配向軸１１３１の方向を基準角度とした場合、図６のような配置において、上偏光板２５０と下偏光板１５０を連動して回転させる場合、上偏光板２５０の吸収軸２５０１の基準角度からのずれをｘとし、下偏光板１５０の吸収軸１５０１の配向軸１１３１からの角度をｙとしたとき、ｙ＝ａｘ＋９０の関係となる。また、上偏光板２５０と位相差板１６０を連動して回転する場合、上偏光板２５０の吸収軸２５０１の基準角度からのずれをｘとし、位相差板１６０の延伸軸１６０１の基準角度からのずれをｚとした場合、ｚ＝ｂｘとなる。さらに、下偏光板１５０と位相差板１６０を連動して回転する場合、下偏光板１５０の吸収軸１５０１の基準角度からのずれをｙとし、位相差板１６０の延伸軸１６０１の基準角度からのずれをｚとした場合、ｚ＝ｃ（ｙ−９０）となる。この場合のａ、ｂ、ｃの値は、e-modeで説明した値と同様になる。つまり、上偏光板２５０、位相差板１６０、下偏光板１５０の連動の仕方は、e-mode、o-modeとも同じになる。
【手続補正５】
【補正対象書類名】特許請求の範囲
【補正対象項目名】全文
【補正方法】変更
【補正の内容】
【特許請求の範囲】
【請求項１】
平面状の第１の電極の上に絶縁膜を介して櫛歯状の第２の電極が形成され、前記第１の電極の上に第１の配向膜が形成された第１の基板と、第２の配向膜が形成された第２の基板との間に液晶が挟持され、
前記第１の配向膜と前記第２の配向膜の配向軸は同じ方向であり、
前記第２の基板の上には、上偏光板が配置し、前記第１の基板の下には下偏光板が配置し、前記下偏光板と前記第１の基板の間、または、前記上偏光板と前記第２の基板の間に位相差板が配置し、前記第１の電極と前記第２の電極の間に電圧を印加することによって画像を形成する液晶表示パネルを有する液晶表示装置であって、
前記上偏光板、前記下偏光板、前記位相差板のうちの少なくとも２つは、
前記上偏光板の吸収軸は、前記配向軸と１度以上４５度以下の角度を有すること、
前記下偏光板の吸収軸は前記配向軸と９１度以上１３５度以下、または８９度以下で４５度以上の角度を有すること、
前記位相差板の延伸軸は、前記配向軸と１度以上４５度以下の角度を有すること、のいずれかを満たすことを特徴とする液晶表示装置。
【請求項２】
平面状の第１の電極の上に絶縁膜を介して櫛歯状の第２の電極が形成され、前記第１の電極の上に第１の配向膜が形成された第１の基板と、第２の配向膜が形成された第２の基板との間に液晶が挟持され、
前記第１の配向膜と前記第２の配向膜の配向軸は同じ方向であり、
前記第２の基板の上には、上偏光板が配置し、前記第１の基板の下には下偏光板が配置し、前記下偏光板と前記第１の基板の間、または、前記上偏光板と前記第２の基板の間に位相差板が配置し、前記第１の電極と前記第２の電極の間に電圧を印加することによって画像を形成する液晶表示パネルを有する液晶表示装置であって、
前記上偏光板、前記下偏光板、前記位相差板のうちの少なくとも２つは、
前記上偏光板の吸収軸は、前記配向軸と９１度以上１３５度以下、または８９度以下で４５度以上の角度を有すること、
前記下偏光板の吸収軸は前記配向軸と１度以上４５度以下の角度を有すること、
前記位相差板の延伸軸は、前記配向軸と９１度以上１３５度以下、または８９度以下で４５度以上の角度を有すること、のいずれかを満足することを特徴とする液晶表示装置。
【請求項３】
前記位相差板は、前記第１の基板と前記下偏光板の間に配置していることを特徴とする請求項１または２に記載の液晶表示装置。
【請求項４】
平面状の第１の電極の上に絶縁膜を介して櫛歯状の第２の電極が形成され、前記第１の電極の上に第１の配向膜が形成された第１の基板と、第２の配向膜が形成された第２の基板との間に液晶が挟持され、
前記第１の配向膜と前記第２の配向膜の配向軸は同じ方向であり、
前記第２の基板の上には、上偏光板が配置し、前記第１の基板の下には下偏光板が配置し、前記下偏光板と前記第１の基板の間、または、前記上偏光板と前記第２の基板の間に位相差板が配置し、前記第１の電極と前記第２の電極の間に電圧を印加することによって画像を形成する液晶表示パネルを有する液晶表示装置であって、
前記位相差板の延伸軸は、前記配向軸と一致しており、
前記上偏光板の吸収軸が前記配向軸となす角をｘとし、前記下偏光板の吸収軸が前記配向軸となす角をｙとしたとき、ｙ＝ａｘ＋９０を満足し、
かつ、前記ａの値は、０．８１以上０．９９以下であることを特徴とする液晶表示装置。
【請求項５】
平面状の第１の電極の上に絶縁膜を介して櫛歯状の第２の電極が形成され、前記第１の電極の上に第１の配向膜が形成された第１の基板と、第２の配向膜が形成された第２の基板との間に液晶が挟持され、
前記第１の配向膜と前記第２の配向膜の配向軸は同じ方向であり、
前記第２の基板の上には、上偏光板が配置し、前記第１の基板の下には下偏光板が配置し、前記下偏光板と前記第１の基板の間、または、前記上偏光板と前記第２の基板の間に位相差板が配置し、前記第１の電極と前記第２の電極の間に電圧を印加することによって画像を形成する液晶表示パネルを有する液晶表示装置であって、
前記下偏光板の吸収軸は、前記配向軸と９０度の角度をなしており、
前記上偏光板の吸収軸が前記配向軸となす角をｘとし、前記位相差板の延伸軸が前記配向軸となす角をｚとしたとき、ｚ＝ｂｘを満足し、かつ、前記ｂは０．４５以上で０．５５以下であることを特徴とする液晶表示装置。
【請求項６】
平面状の第１の電極の上に絶縁膜を介して櫛歯状の第２の電極が形成され、前記第１の電極の上に第１の配向膜が形成された第１の基板と、第２の配向膜が形成された第２の基板との間に液晶が挟持され、
前記第１の配向膜と前記第２の配向膜の配向軸は同じ方向であり、
前記第２の基板の上には、上偏光板が配置し、前記第１の基板の下には下偏光板が配置し、前記下偏光板と前記第１の基板の間、または、前記上偏光板と前記第２の基板の間に位相差板が配置し、前記第１の電極と前記第２の電極の間に電圧を印加することによって画像を形成する液晶表示パネルを有する液晶表示装置であって、
前記上偏光板の吸収軸は、前記配向軸と一致しており、
前記下偏光板の吸収軸が前記配向軸となす角をｙとし、前記位相差板の延伸軸が前記配向軸となす角をｚとしたとき、ｚ＝ｃ（ｙ−９０）を満足し、かつ、前記ｃは０．４５以上で０．５５以下であることを特徴とする液晶表示装置。
【請求項７】
前記位相差板は、前記第１の基板と前記下偏光板の間に配置していることを特徴とする請求項４乃至６のいずれか１項に記載の液晶表示装置。